【手続補正書】
【提出日】平成18年1月11日(2006.1.11)
【手続補正１】
【補正対象書類名】明細書
【補正対象項目名】発明の名称
【補正方法】変更
【補正の内容】
【発明の名称】情報ディスク装置
【手続補正２】
【補正対象書類名】明細書
【補正対象項目名】特許請求の範囲
【補正方法】変更
【補正の内容】
【特許請求の範囲】
【請求項１】 ディスクをディスクトレイに搭載した状態で内蔵したカートリッジが用いられ、前記ディスクに対して少なくとも記録または再生の一方を行うためのピックアップと、前記ディスクに対して少なくとも記録または再生の一方を行うため前記ディスクトレイ全体を前記カートリッジから装置本体内に引き出し、かつ前記ピックアップが設置されている部位まで搬送する搬送機構とを備えた情報ディスク装置において、
前記カートリッジ内に前記ディスクトレイの一部と係合して前記ディスクトレイの移動を阻止するロック部材を設け、前記カートリッジの外側に前記ロック部材を作動させて前記ディスクトレイとの係合を解除させるロック解除用ボタンを設けたことを特徴とする情報ディスク装置。
【請求項２】 ディスクをディスクトレイに搭載した状態で内蔵したカートリッジが用いられ、前記ディスクに対して少なくとも記録または再生の一方を行うためのピックアップと、前記ディスクに対して少なくとも記録または再生の一方を行うため前記ディスクトレイ全体を前記カートリッジから装置本体内に引き出し、かつ前記ピックアップが設置されている部位まで搬送する搬送機構とを備えた情報ディスク装置において、
前記カートリッジ内に前記ディスクトレイの一部と係合して前記ディスクトレイの移動を阻止するロック部材を設け、前記装置本体に、前記カートリッジが装置本体に挿入される過程において、前記ロック部材を作動させて前記ディスクトレイとの係合を解除させるロック解除用部材を設けたことを特徴とする情報ディスク装置。
【請求項３】 ディスクをディスクトレイに搭載した状態で内蔵したカートリッジが用いられ、前記ディスクに対して少なくとも記録または再生の一方を行うためのピックアップと、前記ディスクに対して少なくとも記録または再生の一方を行うため前記ディスクトレイ全体を前記カートリッジから装置本体内に引き出し、かつ前記ピックアップが設置されている部位まで搬送する搬送機構とを備えた情報ディスク装置において、
前記カートリッジ内に前記ディスクトレイの一部と係合して前記ディスクトレイの移動を阻止するロック部材を設け、前記カートリッジの外側に前記ロック部材を作動させて前記ディスクトレイとの係合を解除させるロック解除用ボタンを設けると共に、前記装置本体に、前記カートリッジが装置本体に挿入される過程において、前記ロック部材を作動させて前記ディスクトレイとの係合を解除させるロック解除用部材を設けたことを特徴とする情報ディスク装置。
【請求項４】  前記ロック解除用部材を、前記カートリッジの装置本体への挿入を案内するガイドピンとしたことを特徴とする請求項２または３記載の情報ディスク装置。
【手続補正３】
【補正対象書類名】明細書
【補正対象項目名】０００１
【補正方法】変更
【補正の内容】
【０００１】
【発明の属する技術分野】
本発明は、情報記録および／または再生用のディスクをディスクトレイに搭載した状態で内蔵したカートリッジを用い、選択されたディスクをカートリッジから引き出すようにして、そのディスクに対して少なくとも記録または再生の一方を行う構成の情報ディスク装置に係り、特にディスクトレイの移動を阻止するロックおよびロック解除の構成に関する。
【手続補正４】
【補正対象書類名】明細書
【補正対象項目名】０００８
【補正方法】変更
【補正の内容】
【０００８】
本発明の目的は、前記従来の問題を解決し、ディスクトレイがカートリッジから完全に抜き出される構造のものであっても、カートリッジに対してディスクトレイが不用意に出てしまうことを防止するロック機能を備えるとともに、ディスクの交換、あるいは装置に装着して記録／再生を行う際には、ディスクトレイをカートリッジから引き出せるようにした情報ディスク装置を提供することにある。
【手続補正５】
【補正対象書類名】明細書
【補正対象項目名】０００９
【補正方法】変更
【補正の内容】
【０００９】
【課題を解決するための手段】
前記目的を達成するため、本発明は、ディスクをディスクトレイに搭載した状態で内蔵したカートリッジが用いられ、前記ディスクに対して少なくとも記録または再生の一方を行うためのピックアップと、前記ディスクに対して少なくとも記録または再生の一方を行うため前記ディスクトレイ全体を前記カートリッジから装置本体内に引き出し、かつ前記ピックアップが設置されている部位まで搬送する搬送機構とを備えた情報ディスク装置において、前記カートリッジ内に前記ディスクトレイの一部と係合して前記ディスクトレイの移動を阻止するロック部材を設け、前記カートリッジの外側に前記ロック部材を作動させて前記ディスクトレイとの係合を解除させるロック解除用ボタンを設けたものであり、この構成によって、ディスクトレイがカートリッジから完全に抜き出される構造のものであっても、ロック部材によりディスクトレイのカートリッジからの脱落を防止することができ、またディスクトレイへのディスク交換などの際には、カートリッジ外側からロック解除用ボタンを操作することにより、ディスクトレイとカートリッジとの係止関係が解除されてディスクトレイの外部への移動が行われるため、ディスク交換作業などを支障なく行うことができる。
【手続補正６】
【補正対象書類名】明細書
【補正対象項目名】００１０
【補正方法】変更
【補正の内容】
【００１０】
また本発明は、ディスクをディスクトレイに搭載した状態で内蔵したカートリッジが用いられ、前記ディスクに対して少なくとも記録または再生の一方を行うためのピックアップと、前記ディスクに対して少なくとも記録または再生の一方を行うため前記ディスクトレイ全体を前記カートリッジから装置本体内に引き出し、かつ前記ピックアップが設置されている部位まで搬送する搬送機構とを備えた情報ディスク装置において、前記カートリッジ内に前記ディスクトレイの一部と係合して前記ディスクトレイの移動を阻止するロック部材を設け、前記装置本体に、前記カートリッジが装置本体に挿入される過程において、前記ロック部材を作動させて前記ディスクトレイとの係合を解除させるロック解除用部材を設けたものであり、この構成によって、ディスクトレイがカートリッジから完全に抜き出される構造のものであっても、ロック部材によりディスクトレイのカートリッジからの脱落を防止することができ、また装置本体に装填されて記録／再生を行う際には、ロック解除用部材によりディスクトレイとカートリッジとの係止関係が解除され、ディスクトレイが搬送機構によって抜き出されて所定の位置まで搬送される。
【手続補正７】
【補正対象書類名】明細書
【補正対象項目名】００１１
【補正方法】変更
【補正の内容】
【００１１】
また本発明は、ディスクをディスクトレイに搭載した状態で内蔵したカートリッジが用いられ、前記ディスクに対して少なくとも記録または再生の一方を行うためのピックアップと、前記ディスクに対して少なくとも記録または再生の一方を行うため前記ディスクトレイ全体を前記カートリッジから装置本体内に引き出し、かつ前記ピックアップが設置されている部位まで搬送する搬送機構とを備えた情報ディスク装置において、前記カートリッジ内に前記ディスクトレイの一部と係合して前記ディスクトレイの移動を阻止するロック部材を設け、前記カートリッジの外側に前記ロック部材を作動させて前記ディスクトレイとの係合を解除させるロック解除用ボタンを設けると共に、前記装置本体に、前記カートリッジが装置本体に挿入される過程において、前記ロック部材を作動させて前記ディスクトレイとの係合を解除させるロック解除用部材を設けたものであり、この構成によって、ディスクトレイがカートリッジから完全に抜き出される構造のものであっても、ロック部材によりディスクトレイのカートリッジからの脱落を防止することができ、またディスクトレイへのディスク交換などの際には、カートリッジ外側からロック解除用ボタンを操作することにより、ディスクトレイとカートリッジとの係止関係が解除されてディスクトレイの外部への移動が行われるため、ディスク交換作業などを支障なく行うことができる。さらに、装置本体に装填されて記録／再生を行う際には、ロック解除用部材によりディスクトレイとカートリッジとの係止関係が解除され、ディスクトレイが搬送機構によって抜き出されて所定の位置まで搬送される。